(57)【要約】【課題】カム溝に挿入されるフォロワピンをもつレンズ鏡胴において、フォロワピンの抜け落ちを防止する。【解決手段】内周面３０ａにおいて略Ｖ字状の断面をなすカム溝３３を有するカム筒３０、カム溝に挿入されて摺動する略円錐状の先端部５１ａ及び円柱部５１ｂにより画定されるフォロワピン５１を有すると共にレンズを保持するレンズ筒５０を備え、レンズ筒５０がカム筒３０に対して光軸方向の前方に繰り出すレンズ鏡胴において、カム筒３０のカム溝３３に沿う所定領域に、フォロワピン５１の円柱部５１ｂに対して、光軸方向の後方から対向する直立面３７ａを画定するカムブロック３７を設けた。これにより、レンズ筒を押し込むような外力を受けても、円柱部５１ｂがカムブロック３７に規制されて、その抜け落ちが防止される。【選択図】図８
2008216516.tif 000002
【特許請求の範囲】
【請求項１】
内周面において略Ｖ字状の断面をなすカム溝を有するカム筒と、前記カム溝に挿入されて摺動する略円錐状の先端部及び前記先端部に続く円柱部により画定されるフォロワピンを有すると共にレンズを保持するレンズ筒を備え、前記レンズ筒が前記カム筒に対して光軸方向に相対的に移動するレンズ鏡胴であって、
前記カム筒には、前記カム溝に沿う所定領域において、前記フォロワピンの円柱部に対して、光軸方向の後方から対向する直立面を画定するカムブロックが設けられ、
前記カムブロックは、前記カム筒の内周面において、前記カム溝を画定する傾斜面の一部を切り欠くように形成された凹部に嵌め込まれている、
ことを特徴とするレンズ鏡胴。
【請求項２】
前記カムブロックは、前記円柱部と所定隙間をおいて対向するように配置されている、
ことを特徴とする請求項１記載のレンズ鏡胴。
【請求項３】
前記所定領域は、前記カム溝が光軸方向に対して略垂直な方向に向う領域である、
ことを特徴とする請求項１又は２に記載のレンズ鏡胴。
【請求項４】
前記所定領域は、前記レンズ筒を前記カム筒に対して最大繰り出し位置に位置付ける領域である、
ことを特徴とする請求項１ないし３いずれかに記載のレンズ鏡胴。
【発明の詳細な説明】
【技術分野】
【０００１】
本発明は、光軸方向においてレンズを移動させるレンズ鏡胴に関し、特に、カム溝とフォロワピンを含むレンズ鏡胴に関する。
【背景技術】
【０００２】
従来のレンズ鏡胴としては、カム溝を内周面にもつ固定筒、固定筒のカム溝に挿入されるフォロワピンを外周面にかつカム溝を内周面にもつ回転筒、回転筒のカム溝に挿入されるフォロワピンを外周面にもつと共に内側にレンズを保持するレンズ筒等を備え、回転筒を回転させて光軸方向に繰り出させると共に、回転筒のカム作用によりレンズ筒を光軸方向に繰り出させてレンズを光軸方向に移動させるものが知られている（例えば、特許文献１、特許文献２参照）。
このレンズ鏡胴においては、カム溝は断面が外側に広がった略Ｖ字状（傾斜面）に形成され、フォロワピンはこのカム溝に対応して先細りの略円錐状に形成されている。そして、回転筒のカム溝にレンズ筒のフォロワピンが挿入された状態で、回転筒が一方向あるいは逆方向に回転させられると、フォロワピンが光軸方向にカム作用を受けて、レンズ筒が光軸方向に繰り出しあるいは繰り込むようになっている。
【０００３】
ところで、このようなレンズ鏡胴が搭載されたカメラ等において、特にレンズ筒が繰り出した状態（特に、カム溝が光軸方向に対して略垂直な方向を向く領域にフォロワピンが位置する状態）で、使用者がカメラを落下させあるいはレンズ筒の先端部を他の物体に衝突させて、レンズ筒を押し込むような外力が及ぼされると、レンズ筒のフォロワピンが回転筒のカム溝から抜け落ちて作動不能になる虞があった。
【０００４】
これに対処するべく、単にカム溝を深くしフォロワピンの挿入代を長くすると、回転筒の大径化、レンズ鏡胴全体の大型化を招き、又、摩擦抵抗（駆動負荷）が増加して、繰り出し及び繰り込みの円滑な動作が得られなくなる虞がある。
また、特に、内周面にカム溝をもつ回転筒を樹脂材料により成型する場合、成型上の制約により、カム溝を画定する型の抜け勾配を設ける必要があるため、カム溝の断面形状は依然として傾斜面をもつ略Ｖ字状に形成せざるを得ない。
【０００５】
【特許文献１】特開２００３−０５７７０５号公報
【特許文献２】特開２００４−３６１５１９号公報
【発明の開示】
【発明が解決しようとする課題】
【０００６】
本発明は、上記従来技術の事情に鑑みて成されたものであり、その目的とするところは、フォロワピンとカム溝をもつレンズ鏡胴において、構造の簡素化、小径化、小型化等を図りつつ、カム溝からのフォロワピンの抜け落ちを防止でき、円滑な繰り出し及び繰り込み動作が得られるレンズ鏡胴を提供することにある。
【課題を解決するための手段】
【０００７】
本発明のレンズ鏡胴は、内周面において略Ｖ字状の断面をなすカム溝を有するカム筒と、カム溝に挿入されて摺動する略円錐状の先端部及び先端部に続く円柱部により画定されるフォロワピンを有すると共にレンズを保持するレンズ筒を備え、レンズ筒がカム筒に対して光軸方向に相対的に移動するレンズ鏡胴であって、上記カム筒には、カム溝に沿う所定領域において、フォロワピンの円柱部に対して、光軸方向の後方から対向する直立面を画定するカムブロックが設けられ、このカムブロックは、カム筒の内周面において、カム溝を画定する傾斜面の一部を切り欠くように形成された凹部に嵌め込まれている、ことを特徴としている。
この構成によれば、カム溝に沿う所定領域において、フォロワピンの円柱部と光軸方向の後方から対向する直立面（円柱部の外周面と平行に対向する平坦面又は円筒状の湾曲面）をもつカムブロックが設けられているため、レンズ筒がカム筒から繰り出した状態で、レンズ筒を光軸方向の後方に向けて押し込むような外力が作用した場合、フォロワピンの円柱部がカムブロックの直立面に規制されて、その抜け落ちが防止される。このように、簡単な構造にて、フォロワピンがカム溝から抜け落ちるのを防止することができる。
また、カムブロックがカム筒の内周面に形成された凹部に嵌め込まれているため、カム筒の小径化を達成でき、又、凹部を設ける場所を適宜選定することにより、カム溝に沿う所望の位置にカムブロックを設けることができる。
【０００８】
上記構成において、カムブロックは、円柱部と所定隙間をおいて対向するように配置されている、構成を採用することができる。
この構成によれば、カムブロック（の直立面）が所定隙間をおいてフォロワピンの円柱部と対向するため、衝撃力を受けない通常の動作においては、円柱部とカムブロックとが非接触の状態でフォロワピンの先端部がカム溝によりガイドされ、外部から押し込むような衝撃力を受けたときには、円柱部がカムブロック（の直立面）に当接して抜け落ちないように規制される。これにより、通常の繰り出し及び繰り込み動作を円滑に行わせることができると共に、外部から衝撃力等を受けたときにフォロワピンの抜け落ちを確実に防止することができる。
【０００９】
上記構成において、所定領域は、カム溝が光軸方向に対して略垂直な方向に向う領域である、構成を採用することができる。
この構成によれば、フォロワピンが光軸方向に対して略垂直な方向に向う領域にあるとき、レンズ筒を押し込むような衝撃力を受けると、フォロワピンはカム溝の経路に直交する向きに押されるため抜け落ち易い状態にある。そこで、この領域にカムブロックを設けることで、フォロワピンの抜け落ちを確実に防止することができる。
【００１０】
上記構成において、所定領域は、レンズ筒をカム筒に対して最大繰り出し位置に位置付ける領域である、構成を採用することができる。
この構成によれば、レンズ筒が最も繰り出した状態にあるとき、レンズ筒を押し込むような衝撃力が加わっても、フォロワピンの抜け落ちを確実に防止することができる。
【発明の効果】
【００１１】
上記構成をなすレンズ鏡胴によれば、フォロワピンとカム溝をもつレンズ鏡胴において、構造の簡素化、小径化、小型化等を達成しつつ、外部から衝撃力等を受けてもフォロワピンがカム溝から外れる（抜け落ちる）のを防止でき、円滑な繰り出し動作及び繰り込み動作を得ることができる。
【発明を実施するための最良の形態】
【００１２】
以下、本発明の実施の形態について、添付図面を参照しつつ説明する。
図１ないし図８は、本発明に係るレンズ鏡胴を含むレンズ駆動装置の一実施形態を示すものであり、図１は装置の正面図、図２ないし５はレンズ鏡胴が沈胴位置，広角端，中間位置，望遠端にある状態をそれぞれ示す装置の断面図、図６はレンズ鏡胴に含まれるカム筒の展開図、図７及び図８はカム筒，カムブロック，及びフォロワピンを拡大して示した部分斜視図及び部分断面図である。
【００１３】
このレンズ駆動装置は、図１ないし図５に示すように、フィルタプレートＦＰ、ＣＣＤ等の撮像素子ＰＥ等が取り付けられるベース１０、ベース１０に固着された固定筒２０、固定筒２０の内側において回転及び直進自在に支持されたカム筒３０、カム筒３０の内側に嵌合されて回転不能に規制されたキー筒４０、カム筒３０及びキー筒４０の内側において光軸方向Ｌに移動自在に支持された第１レンズ筒５０及び第２レンズ筒６０、第１レンズ筒５０に対して光軸方向Ｌに移動自在に支持されたレンズ筒７０、カム筒３０を駆動する駆動機構８０、レンズ筒７０を駆動する駆動機構９０等を備えている。
【００１４】
ベース１０は、樹脂材料により成型されており、図１ないし図５に示すように、光を通す開口部１１、開口部１１の後方に形成されてフィルタプレートＦＰ及び撮像素子ＰＥを取り付ける凹部１２，１３、駆動機構８０を保持する保持部１４等を備えるように形成されている。
【００１５】
固定筒２０は、樹脂材料を用いて光軸方向Ｌに平行な軸心をもつ円筒状に成型され、図２ないし図５に示すように、後述する歯車８１の一部を内部に入り込ませるように切り欠かれた切り欠き部２１、カム筒３０（の後述するフォロワピン３１）にカム作用を及ぼすべく内周面に形成された３つのカム溝２２、キー筒４０（の後述する突起４１）を光軸方向Ｌにのみガイドするガイド溝２３等を備えるように形成されている。
【００１６】
３つのカム溝２２は、広角端→中間位置→望遠端へのズーミングに際して、先ずカム筒３０を光軸方向Ｌの最も繰り込んだ位置に対応する沈胴位置（図２に示す位置）から所定量だけ繰り出した広角端位置（図３に示す位置）に位置付けるようにカム作用を及ぼし、その後、広角端〜望遠端においてはカム作用を及ぼさないで光軸方向Ｌの同一の位置にカム筒３０を位置付けて、カム筒３０に回転だけ行わせるように形成されている。
【００１７】
カム筒３０は、樹脂材料を用いて光軸方向Ｌに平行な軸心をもつ円筒状に成型され、図２ないし図５に示すように、その外周面において固定筒２０のカム溝２２に挿入されるべく等間隔（１２０度間隔）に設けられた３つのフォロワピン３１、後述する歯車８１と噛合するべく後端側に形成された歯列（弧状ラック部）３２を備え、その内周面３０ａにおいて、後述する第１レンズ筒５０のフォロワピン５１を挿入する３つのカム溝３３及び後述する第２レンズ筒６０のフォロワピン６１を挿入する３つのカム溝３４、後述するキー筒４０の掛止爪４４を掛止するべく前端側に形成された環状溝３５、内周面に略矩形状に形成された３つの凹部３６、凹部３６内に嵌め込まれた３つのカムブロック３７等を備えるように形成されている。
【００１８】
３つのカム溝３３は、図６ないし図８に示すように、内周面３０ａにおいて略Ｖ字状の断面をなすように、すなわち、溝底３３ａ及び後述するフォロワピン５１の先端部５１ａが摺動する傾斜面３３ｂ，３３ｃを画定するように形成されている。ここで、傾斜面３３ｂは、溝底３３ａに対して光軸方向Ｌの前側Ｆに位置し、傾斜面３３ｃは溝底３３ａに対して光軸方向Ｌの後側Ｒに位置している。
そして、３つのカム溝３３は、広角端→中間位置→望遠端へのズーミングに際して、図６に示すように、第１レンズ筒５０をカム筒３０に対して、先ず光軸方向Ｌの最も繰り込んだ位置に対応する沈胴位置（図２に示す位置）から光軸方向Ｌの前方Ｆに最も繰り出した広角端（図３に示す位置）に位置付け、続いて所定量だけ光軸方向Ｌの後方Ｒに繰り込んだ中間位置（図４に示す位置）に位置付け、さらに続いて所定量だけ光軸方向Ｌの前方Ｆに繰り出した望遠端（図５に示す位置）に位置付けるカム作用を及ぼすように形成されている。
【００１９】
３つのカム溝３４は、内周面３０ａにおいて略Ｖ字状の断面をなすように形成され、広角端→中間位置→望遠端へのズーミングに際して、図６に示すように、第２レンズ筒６０をカム筒３０に対して、先ず光軸方向Ｌの最も繰り込んだ位置に対応する沈胴位置（図２に示す位置）から光軸方向Ｌの後方に所定量だけ繰り込んだ広角端（図３に示す位置）に位置付け、続いて所定量だけ光軸方向Ｌの前方に繰り出した中間位置（図４に示す位置）に位置付け、さらに続いて所定量だけ光軸方向Ｌの前方に繰り出した望遠端（図５に示す位置）に位置付けるカム作用を及ぼすように形成されている。
【００２０】
３つの凹部３６は、図６及び図７に示すように、内周面３０ａのカム溝３３に沿う所定領域において、傾斜面３３ｃの一部を切り欠くように略矩形形状に形成されている。そして、凹部３６の略中央には、後述するカムブロック３７の嵌合孔３７ａに嵌合させる円柱状の嵌合突起３６ａが形成されている。
ここで、凹部３６が形成された所定領域は、カム溝３３が光軸方向Ｌに対して略垂直な方向に向う領域に対応し、又、図３及び図６に示すように、第１レンズ筒５０を光軸方向Ｌの前方Ｆに向けて最も繰り出した最大繰り出し位置に位置付ける領域に対応している。
【００２１】
３つのカムブロック３７は、図６及び図７に示すように、金属材料を用いて、それぞれの凹部３６に嵌め込まれるように形成されており、後述するフォロワピン５１の円柱部５１ｂに光軸方向Ｌの後方から対向する直立面３７ａ、嵌合突起３６ａを嵌合させる嵌合孔３７ｂ等を備えるように形成されている。尚、カムブロック３７は、凹部３６に対して接着剤等を用いて固着されてもよい。
そして、カムブロック３７の直立面３７ａは、フォロワピン５１が最も近づいた状態において、図８（ｂ）に示すように、後述するフォロワピン５１の円柱部５１ｂ（の外周面）に対して光軸方向Ｌの後方から所定隙間をおいて対向するように配置されている。
【００２２】
このように、カムブロック３７は、カム筒３０の内周面３０ａにおいて、カム溝３３を画定する傾斜面３３ｃの一部を切り欠くように形成された凹部３６に嵌め込まれているため、カム筒３０の小径化を達成でき、凹部３６を設ける場所を適宜選定することにより、カム溝３３に沿う所望の位置にカムブロック３７を設けることができる。
また、カムブロック３７（の直立面３７ａ）は、所定隙間をおいてフォロワピン５１の円柱部５１ｂ（の外周面）と対向するため、衝撃力を受けない通常の動作においては、円柱部５１ｂとカムブロック３７とが非接触の状態でフォロワピン５１の先端部５１ａがカム溝３３によりガイドされ、外部から押し込むような衝撃力を受けたときには、円柱部５１ｂがカムブロック３７（の直立面３７ａ）に当接して抜け落ちないように規制される。これにより、通常の繰り出し及び繰り込み動作を円滑に行わせることができると共に、外部から衝撃力等を受けたときにフォロワピン５１の抜け落ちを確実に防止できる。
【００２３】
特に、カムブロック３７は、カム溝３３の経路上において、カム溝３３が光軸方向Ｌに対して略垂直な方向を向く領域（及び第１レンズ筒５０が光軸方向Ｌの前方Ｆに向けて最も繰り出した最大繰り出し位置に位置する領域）、すなわち、フォロワピン５１が外力を受けても容易に逃げる（カム溝３３に沿って移動する）ことができない抜け落ち易い領域に配置されているため、第１レンズ筒５０を押し込むような衝撃力を受けても、フォロワピン５１の抜け落ちを確実に防止できる。
【００２４】
キー筒４０は、樹脂材料を用いて光軸方向Ｌに平行な軸心をもつ円筒状に成型され、図２ないし図５に示すように、その後端部において固定筒２０のガイド溝２３に挿入される突起４１、後述するフォロワピン５１を嵌合して固定する凸状固定部５２を受け入れて光軸方向Ｌにガイドする３つのガイド溝４２、後述するフォロワピン６１を嵌合して固定する固定部６２を受け入れて光軸方向Ｌにガイドする３つのガイド溝４３、その外周面において回転筒３０の環状溝３５に挿入される掛止爪４４等を備えるように形成されている。
【００２５】
そして、キー筒４０は、カム筒３０の内側に入れ子状に嵌め込まれた状態で、掛止爪４４がカム筒３０の環状溝３５に挿入され、突起４１が固定筒２０のガイド溝２３に挿入され、回転不能にかつカム筒３０の回転を許容するように固定筒２０に保持されると共にカム筒３０と一緒に光軸方向Ｌに移動し、ガイド溝４２により第１レンズ筒５０の回転を規制しつつ光軸方向Ｌへの移動を許容し、ガイド溝４３により第２レンズ筒６０の回転を規制しつつ光軸方向Ｌへの移動を許容するようになっている。
【００２６】
第１レンズ筒５０は、樹脂材料を用いて光軸方向Ｌに平行な軸心をもつ円筒状に成型され、図２ないし図５に示すように、その外周面においてカム筒３０のカム溝３３に挿入されるべく等間隔（１２０度間隔）に設けられた３つのフォロワピン５１、フォロワピン５１を嵌合させて固定するべく凸状に突出してキー筒４０のガイド溝４２に挿入される凸状固定部５２、レンズ筒７０を光軸方向Ｌに往復自在に支持する中央円筒部５３、レンズ筒７０を出没自在に通す開口部５４等を備えるように形成されている。
【００２７】
３つのフォロワピン５１は、図８（ａ），（ｂ）に示すように、金属材料を用いて、カム溝３３（傾斜面３３ｂ，３３ｃ）に挿入されて摺動する略円錐状の先端部５１ａ、先端部５１ａに続けて形成された円柱部５１ｂを画定するように形成されている。
そして、フォロワピン５１は、カムブロック３７が設けられていない領域では、図８（ａ）に示すように、先端部５１ａのみがカム溝３３（傾斜面３３ｂ，３３ｃ）に接触して摺動し、カムブロック３７が設けられている領域では、図８（ｂ）に示すように、先端部５１ａのみがカム溝３３の一部（傾斜面３３ｂと傾斜面３３ｃの一部）に接触して摺動すると共に、円柱部５１ｂがカムブロック３７の直立面３７ａと所定隙間をおいて対向するようになっている。
そして、第１レンズ筒５０は、カム筒３０が回転することにより、カム溝３３がフォロワピン５１にカム作用を及ぼし、カム溝３３のプロフィル（経路）に沿って光軸方向Ｌに移動するようになっている。
【００２８】
レンズ筒７０は、樹脂材料を用いて成型され、図２ないし図５に示すように、第１レンズ筒５０の中央円筒部５３に挿入されると共にレンズＧ１を保持する円筒部７１、円筒部７１から延出して後述する駆動機構９０に連結される連結部７２等を備えるように形成されている。そして、レンズ筒７０は、後述する駆動機構９０の駆動力により、第１レンズ筒５０に対して、光軸方向Ｌに相対的に移動するようになっている。
【００２９】
第２レンズ筒６０は、樹脂材料を用いて光軸方向Ｌに平行な軸心をもつ円筒状に成型され、図２ないし図５に示すように、その外周面においてカム筒３０のカム溝３４に挿入されるべく等間隔（１２０度間隔）に設けられた３つのフォロワピン６１、フォロワピン６１を嵌合させて固定すると共にキー筒４０のガイド溝４３に挿入される固定部６２、レンズＧ２を保持する円筒部６３等を備えるように形成され、レンズＧ２の後方にはシャッタ機構Ｓを一体的に保持している。
そして、第２レンズ筒６０は、カム筒３０が回転することにより、カム溝３４がフォロワピン６１にカム作用を及ぼし、カム溝３４のプロフィル（経路）に沿って光軸方向Ｌに移動するようになっている。
【００３０】
駆動機構８０は、図１及び図２に示すように、カム筒３０の歯列３２に噛合する歯車８１、歯車８１に噛合する減速歯車（不図示）、ベース１０に固定されたモータ８２等により形成されている。そして、モータ８２が回転すると、減速歯車及び歯車８１を介して、カム筒３０が固定筒２０に対して相対的に回転させるようになっている。
【００３１】
駆動機構９０は、図２ないし図５に示すように、光軸方向Ｌに第１レンズ筒５０と一緒に移動するように第１レンズ筒５０の内側に収容されており、レンズ筒７０の連結部７２に保持されたナット９１、ナット９１に螺合するリードスクリュー９２、リードスクリュー９２に一体的に形成された被動歯車９３、被動歯車９３に回転駆動力を及ぼすモータ（不図示）等により形成されている。
すなわち、モータの回転駆動力により、被動歯車９３を介してリードスクリュー９２が回転すると、第１レンズ筒５０に対して、レンズ筒７０がナット９１と一緒に光軸方向Ｌに移動するようになっている。
【００３２】
次に、上記装置の動作について説明する。
先ず、沈胴状態において、図２に示すように、第１レンズ筒５０及び第２レンズ筒６０並びにカム筒３０は、光軸方向Ｌの後方に向けて最も繰り込んだ位置にある。
この沈胴状態から、駆動機構８０が一方向に回転駆動力を発生すると、フォロワピン３１がカム溝２１のカム作用を受けて、カム筒３０は回転しつつ光軸方向Ｌの前方Ｆに向かって繰り出す。
【００３３】
また、カム筒３０の回転により、フォロワピン５１，６１がそれぞれカム溝３３，３４のカム作用を受けて、第１レンズ筒５０及び第２レンズ筒６０が光軸方向Ｌの前方Ｆに繰り出して、図３に示す広角端（撮影位置）に至る。
続けて、駆動機構８０が同一方向に回転駆動力を発生すると、カム筒３０は光軸方向Ｌに移動せず所定の位置にて回転し、フォロワピン５１，６２がそれぞれカム溝３３，３４のカム作用を受けて、第１レンズ筒５０が光軸方向Ｌの前方Ｆにさらに繰り出し、第２レンズ筒６０が光軸方向Ｌの後方に所定量だけ繰り込んで、図４に示す中間（撮影）位置に至る。
【００３４】
さらに続けて、駆動機構８０が同一方向に回転駆動力を発生すると、カム筒３０は光軸方向Ｌに移動せず所定の位置にて回転し、フォロワピン５１，６２がそれぞれカム溝３３，３４のカム作用を受けて、第１レンズ筒５０が光軸方向Ｌの後方Ｒに向けて所定量だけ繰り込み、第２レンズ筒６０が光軸方向Ｌの前方Ｆに向けて所定量だけ繰り出し、図５に示す望遠端（撮影位置）に至る。
【００３５】
また、駆動機構９０が適宜駆動力を発生して、レンズ筒７０が第１レンズ筒５０に対して相対的に光軸方向Ｌに移動する。
一方、駆動機構８０が逆向きの回転駆動力を発生すると、図５に示す望遠端（撮影位置）→図４に示す中間（撮影）位置→図３に示す広角端（撮影位置）を辿って、図２に示す沈胴位置に至る。
【００３６】
上記繰り出し及び繰り込み動作において、第１レンズ筒５０が光軸方向Ｌの前方Ｆに最も繰り出した広角端（撮影位置）においては、図８（ｂ）に示すように、カムブロック３７の直立面３７ａが、フォロワピン５１の円柱部５１ｂに対して、光軸方向Ｌの後方から所定隙間をおいて対向した状態にあるため、落下等により、第１レンズ筒５０を光軸方向Ｌの後方Ｆに向けて押し込むような衝撃力（外力）が作用しても、フォロワピン５１の円柱部５１ｂの移動がカムブロック３７の直立面３７ａに規制されて、カム溝３３からの抜け落ちが防止される。
以上述べたように、上記レンズ鏡胴よれば、構造の簡素化、小径化、小型化等を達成しつつ、カム溝３３からのフォロワピン５１の抜け落ちを防止できると共に、繰り出し及び繰り込み動作を円滑に行わせることができる。
【００３７】
上記実施形態においては、カムブロック３７を設けるカム溝３３の所定領域として、第１レンズ筒５０を広角端に位置付ける領域（カム溝３３が光軸方向Ｌに対して略垂直な方向に向う領域）を適用した場合を示したが、これに限定されるものではなく、図９及び図１０に示すように、第１レンズ筒５０を中間位置に位置付ける領域（カム溝３３が光軸方向Ｌに対して略垂直な方向に向う領域）を適用してもよく、又、図１１及び図１２に示すように、第１レンズ筒５０を望遠端に位置付ける領域を適用してもよい。
この場合、図９及び図１０に示す領域に配置されるカムブロック３７´は、フォロワピン５１の円柱部５１ｂに対向する直立面３７ａ´が光軸方向Ｌに対して略垂直な方向に拡がる略平坦面をなすように形成され、図１１及び図１２に示す領域に配置されるカムブロック３７´´は、フォロワピン５１の円柱部５１ｂに対向する直立面３７ａ´´がカム溝３３の経路に沿った方向に拡がる略平坦面をなすように形成される。
【産業上の利用可能性】
【００３８】
以上述べたように、本発明のレンズ鏡胴は、構造の簡素化、小径化、小型化等を達成しつつ、カム溝からのフォロワピンの抜け落ちを防止でき、円滑な繰り出し及び繰り込み動作を行わせることができるため、携帯用のデジタルカメラ等に適用できるのは勿論のこと、落下等により衝撃力を受けるものであれば、銀塩式カメラ、その他のレンズ光学機器にも有用である。
【図面の簡単な説明】
【００３９】
【図１】本発明に係るレンズ鏡胴を含むレンズ駆動装置の一実施形態を示す正面図である。
【図２】レンズ鏡胴が沈胴位置にある状態を示す装置の断面図である。
【図３】レンズ鏡胴が広角端にある状態を示す装置の断面図である。
【図４】レンズ鏡胴が中間位置にある状態を示す装置の断面図である。
【図５】レンズ鏡胴が望遠端にある状態を示す装置の断面図である。
【図６】レンズ鏡胴に含まれるカム筒の内周面を示す展開図である。
【図７】カム筒に設けられるカムブロックを示す斜視図である。
【図８】（ａ）は第１レンズ筒のフォロワピンとカム筒のカム溝との関係を示す部分断面図、（ｂ）は第１レンズ筒のフォロワピンとカム筒のカム溝及びカムブロックとの関係を示す部分断面図である。
【図９】レンズ鏡胴の他の実施形態を示す断面図である。
【図１０】図９に示すレンズ鏡胴に含まれるカム筒の内周面を示す展開図である。
【図１１】レンズ鏡胴のさらに他の実施形態を示す断面図である。
【図１２】図１１に示すレンズ鏡胴に含まれるカム筒の内周面を示す展開図である。
【符号の説明】
【００４０】
Ｌ  光軸方向
１０  ベース
２０  固定筒
２２  カム溝
２３  ガイド溝
３０  カム筒
３１  フォロワピン
３２  歯列
３３，３４  カム溝
３３ａ  溝底
３３ｂ，３３ｃ  傾斜面
３５  環状溝
３６  凹部
３６ａ  嵌合突起
３７，３７´，３７´´  カムブロック
３７ａ，３７ａ´，３７ａ´´  直立面
３７ｂ  嵌合孔
４０  キー筒
４１  突起
４２，４３  ガイド溝
４４  掛止爪
５０  第１レンズ筒
５１  フォロワピン
５１ａ  先端部
５１ｂ  円柱部
５２  凸状固定部
５３  中央円筒部
５４  開口部
６０  第２レンズ筒
６１  フォロワピン
６２  固定部
６３  円筒部
Ｇ１  レンズ
７０  レンズ筒
７１  円筒部
Ｇ１  レンズ
７２  連結部
８０  駆動機構
８１  歯車
８２  モータ
９０  駆動機構
９１  ナット
９２  リードスクリュー
９３  被動歯車
【図１】
2008216516.tif 000003
【図２】
2008216516.tif 000004
【図３】
2008216516.tif 000005
【図４】
2008216516.tif 000006
【図５】
2008216516.tif 000007
【図６】
2008216516.tif 000008
【図７】
2008216516.tif 000009
【図８】
2008216516.tif 000010
【図９】
2008216516.tif 000011
【図１０】
2008216516.tif 000012
【図１１】
2008216516.tif 000013
【図１２】
2008216516.tif 000014